(57)【要約】【課題】【解決手段】入れ子式の支持ロッド（１）は、互いに摺動可能に接続された内側管状部材（２）と外側管状部材（３）とを有する。管状部材（２）は、ロック手段（４）によってロックされており、このロック手段は、内側管状部材（２）内に収容された少なくとも１つの変形可能な部材（５）と、この変形可能な部材を少なくとも横方向に膨張させるロッド内の制御機構（６）とを有する。
2004521695.tif 000002
【特許請求の範囲】
【請求項１】
摺動可能に相互連結された内側管状部材（２）と外側管状部材（３）とを具備し、管状部材（２）はロック手段（４）によってロックされる入れ子式支持ロッド（１）において、前記ロック手段（４）は、前記内側管状部材（２）内に収容された少なくとも１つの変形可能な部材（５）と、この変形可能な部材（５）を少なくとも横方向に膨張させ得るロッド（１）内の制御機構（６）とを有することを特徴とするロッド。
【請求項２】
前記変形可能な部材（５）は、弾性的に変形され得ることを特徴とする請求項１のロッド（１）。
【請求項３】
前記制御機構（６）は、変形可能な部材（５）と関連付けられたピン（８）に回動可能に接続された少なくとも１つのレバー（７）を有することを特徴とする請求項１もしくは２のロッド（１）。
【請求項４】
前記レバー（７）は、外側管状部材（３）に固定された支持物（９）に回動可能に関連付けられていることを特徴とする請求項１乃至３のいずれか１のロッド（１）。
【請求項５】
前記レバー（７）は、外側管状部材（３）に固定された支持物（９）に摺動可能に関連付けられていることを特徴とする請求項１乃至４のいずれか１のロッド（１）。
【請求項６】
前記支持物（９）は、レバー（７）のガイド部（１１）が関連付けられた少なくとも１つのカム（１０）を有することを特徴とする請求項１乃至５のいずれか１のロッド（１）。
【請求項７】
前記ガイド部（１１）は、ホイール（１２）を支持していることを特徴とする請求項１乃至６のいずれか１のロッド（１）。
【請求項８】
前記カム（１０）は、ホイール（１２）を収容する溝形状の座部（１３）を有することを特徴とする請求項１乃至７のいずれか１のロッド（１）。
【請求項９】
前記ピン（８）は、変形可能な部材（５）を支持し、また、レバー（７）と変形可能な部材（５）との間に位置されてピンに摺動可能に関連付けられたスペーサを支持していることを特徴とする請求項１乃至８のいずれか１のロッド（１）。
【請求項１０】
前記ピン（８）は、ロッド（１）がロックされていないときにスペーサ（１５）と関連付けられるレバー（７）の一端から第１の距離だけ離間して位置し、及び、装置がロックされるとスペーサ（１５）と関連付けられるレバー（７）の他端から第２の距離だけ離間して位置する領域（１８）でレバー（７）に回動可能に接続されており、前記第２の距離は、前記第１の距離よりも長いことを特徴とする請求項１乃至９のいずれか１のロッド（１）。
【請求項１１】
中心付けスペーサ（１９、２０）が、内側管状部材（２）と外側管状部材（３）との間に配置されていることを特徴とする請求項１乃至１０のいずれか１のロッド（１）。
【請求項１２】
前記レバー（７）は、止め手段を有することを特徴とする請求項１乃至１１のいずれか１のロッド（１）。
【請求項１３】
前記止め手段は、操作ハンドル（２２）を収容するレバー（７）の第１の座部を有することを特徴とする請求項１乃至１２のいずれか１のロッド（１）。
【請求項１４】
少なくとも１つの自由端で結合された弾性部材（２３）を具備することを特徴とする請求項１乃至１３のいずれか１のロッド（１）。
【請求項１５】
入れ子式ロッド（１）の２つの管状部材（２、３）の間をロックする方法であって、変形可能な部材（５）が、横方向に膨張されると同時に長手方向に移動されて、入れ子式ロッド（１）の内側管状部材（２）内で変形可能な部材（５）を緩くロックし、内側管状部材自身を長手方向に移動可能にし、続いて、変形可能な部材（５）を更に膨張させて、内側管状部材（２）内で変形可能な部材（５）をロックすることを特徴とする方法。
【請求項１６】
前記変形可能な部材はロッド（１）の内側管状部材（２）に対して緩くロックされ、ロッド（１）の両端は制限されて、これらロッドの移動が防止され、変形可能な部材（５）は、内側管状部材（２）内で摺動することを特徴とする請求項１５の方法。
【請求項１７】
請求項１乃至１６のいずれか１の入れ子式支持ロッド（１）並びに入れ子式ロッドの２つの管状部材（２、３）を接続する方法。
【発明の詳細な説明】
【技術分野】
【０００１】
本発明は、入れ子式支持ロッドと、このロッドの２つの管状部材の間をロックする方法とに関する。
【背景技術】
【０００２】
現在は、床と天井との間に位置され、例えばフック並びに／もしくはランプなどの一般的な物体のための支持物を保持し得る既存の入れ子式ロッドがある。
このタイプの入れ子式ロッドは、互いに対して摺動可能で、ロッドの外部のロック装置によりロックされ得る内側管状部材と外側管状部材とを有する。
【発明の開示】
【発明が解決しようとする課題】
【０００３】
しかしながら、これら従来のロッドは、幾つかの欠点を有する。これは、外側ロック装置が審美的でなく、また、ロッドに自由にアクセスできるため、ロッドが偶発的に解放されて倒れることがあり、不安定であることが主な原因となっている。
更に、これらが複雑で、位置されて調節される部品が多数であることによって、上述されたタイプの従来のロッドは、水平な壁の間のみでなく２つの垂直な壁の間に容易に位置され得る。
【０００４】
従って、本発明の技術的な課題は、ロック装置へのアクセスが制限されて非常に安定している入れ子式の支持ロッドを提供することにより、先行技術に関連して論じられてきた技術的な問題を解決することである。
技術的な課題の範囲内で、本発明の目的は、ロック装置がロッド内部にある入れ子式のロッドを提供することである。
【０００５】
本発明の他の目的は、水平な平壁の間に位置され得るだけでなく、実質的に垂直な壁の間にも難なく位置され得る入れ子式のロッドを提供することである。
本発明の主要な目的の１つは、入れ子式ロッドの２つの管状部材を接続する方法を示すことである。
【課題を解決するための手段】
【０００６】
技術的な課題は、これら及び他の目的同様に、摺動可能に相互連結され、互いにロック手段でロックされた内側管状部材と外側管状部材とを有し、このロック手段は、内側管状部材内に収容された少なくとも１つの変形可能な部材と、この変形可能な部材を少なくとも横方向に膨張可能にするロッド内部の制御機構とを有する本発明の入れ子式支持ロッドを提供することによって果たされる。
【０００７】
本発明の更なる目的は、入れ子式ロッドの２つの管状部材の間をロックする方法を提供することであって、この方法では、変形可能な部材が横方向に膨張されるのと同時に長手方向にも移動され、これによって、この変形可能な部材は入れ子式ロッドの内側管状部材内で緩くロックされ、内側管状部材自身も長手方向に移動可能にされ、続いて、変形可能な部材を更に膨張させると、変形可能な部材が内側管状部材内で堅くロックされ、ロッドの内側管状部材と外側管状部材とがロックされる。
【０００８】
本発明の更なる特徴は、添付請求項によって規定される。
本発明に係るロッドは、効果的には、制限なしでフックを支持し得る完全に自由な外面を有する。更に、好ましくはフックが接続される外側管状部材は回転可能なので、用途が広い。
【発明を実施するための最良の形態】
【０００９】
図面を参照すると、全体を通して参照符号１で示された入れ子式支持ロッドが示されている。
このロッド１は、摺動可能に相互接続された内側管状部材２と外側管状部材３とを有する。管状部材２は、ロック手段４によってロックされる。
このロック手段４は、内側管状部材２内に収容された弾性的に変形可能な部材５を有する。この変形可能な部材は、ロッド１内に配置されて外側管状部材に接続された制御機構６に接続されており、この制御機構が、変形可能な部材５を少なくとも横方向に膨張可能にする。
【００１０】
この制御機構６は、変形可能な部材５と関連付けられたピン８に回動可能に接続されたレバー７を有する。
このレバー７は、効果的に、外側管状部材３に堅く固定されてカム１０を有する支持物９に、回動かつ互いに摺動可能なように関連付けられている。
レバー７のガイド部１１は、カム１０と関連付けられ、好ましい実施形態ではホイール１２を有している。
【００１１】
カム１０は、効果的には、ロック構造体内の装置の安定性を確実にするためにホイール１２を収容する溝形状の座部１３を有する。
説明されている実施形態で示されるように、ピン８は、１面がレバー７と接触し、他面がスペーサ１５に接続された第１の環状プレート１４を摺動可能に支持している。スペーサ１５の他の端部では、第２の環状プレート１６がピン８上を摺動し得る。
【００１２】
変形可能な部材５は、プレート１６を支持し、示された実施形態では環状の構造を有している。第３の環状プレート１７が、ピン８の自由端に配置され、ピン８のねじ端部にナットでロックされている。
従って、実際には、ピン８は、変形可能な部材５を支持し、また、レバー７と変形可能な部材５との間に配置され、ピンに摺動可能に関連付けられたスペーサ１５を支持している。
【００１３】
添付図面を見ると明らかなように、ピン８は、ロッド１がロックされていないときにスペーサと関連付けられるレバーの１端から第１の距離を離間して位置し、及び、装置がロックされるとスペーサ１５と関連付けられるレバー７の他端から第２の距離を離間して位置した領域１８内でレバー７に回動可能に接続されている。
【００１４】
第１の距離は、効果的には、レバー７が回転移動するとスペーサが動かされて変形可能な部材が圧迫されるように第２の距離よりも短くされている。
更に、内側管状部材と外側管状部材との間には中心付けスペーサ１９及び２０が設けられており、管状部材２及び３が、これらの直径が相当に異なっていても（ほぼ１ミリメータの端数程度の違いを有するときでも）適当な同軸状に維持されるようにされている。
【００１５】
また、レバーは、ロッドがロックされた構成を取っているときにこれの動きを防止する止め手段を有する。
この止め手段は、例えば座部２１を有し、この中に、ハンドル２２がロッドに平行に挿入される。
かくして、レバーは、これが回動するとハンドル２２も回動してしまうことから、回動され得ない。
【００１６】
ロッド１は、これの一方の自由端に、もしくは、示された実施形態の場合と同様にこれの両方の自由端に、弾性部材２３を有する。弾性部材は、以下に示されるように、壁への接続を容易にする。
本発明に係る入れ子式支持ロッドの動作は、以下の説明と図面とによって明らかにされており、特に、ほぼ以下の通りである。
【００１７】
ロッド１が、これの両端部が壁から離れた状態で、２つの水平もしくは垂直な壁の間に配置される。
ハンドル２２が、レバー７の座部内に挿入され、回動される。
レバー７が、回動すると同時にカム１０に沿って動き、これによって、ピン８が、スペーサ１５及び変形可能な部材５と共に、管状部材２及び３内を移動する。
【００１８】
レバー７の形状と接続領域１８の位置付けとにより、スペーサ１５が移動し、機構６と共に変形可能な部材５を圧迫してこれを膨張させ（部材５がプレート１７によってロックされることから）、内側管状部材内でロックさせる。
ピン８が移動して、内側管状部材２に沿って引き動かされると（これが変形可能な部材によってロックされた後に）、ロッド１が長く延び、最適な方法で壁と結合される。
【００１９】
更に、変形可能な部材５と内側管状部材２と間の接続が更に緩くされると、内側管状部材２が外側管状部材３に対して摺動し始める。管状部材２及び３の端部が制限されると、変形可能な部材５が内側管状部材２内で摺動し得る。かくして、ロッドのディメンションは、過度に壁にストレスを与えることなく保持され得る。
【００２０】
本発明の更なる課題は、入れ子式ロッドの２つの管状部材を接続する方法を提供することである。
この方法では、変形可能な部材５が、横方向に膨張されると同時に長手方向にも移動され、これによって、入れ子式ロッド１の内側管状部材２内での変形可能な部材５は緩くロックされ、内側管状部材２が長手方向に移動され得る。
【００２１】
続いて、変形可能な部材５が更に膨張されて内側管状部材２内で堅くロックされ、ロッド１の内側管状部材２と外側管状部材３とがロックされる。
本発明の方法では、変形可能な部材５がロッド１の内側管状部材２に対して緩くロックされ、ロッドの両端部が制限されているとき、これらの移動は防止され、変形可能な部材５は、効果的に、内側管状部材２内で摺動する。
【００２２】
実際には、入れ子式支持ロッドと、本発明に係るこの入れ子式ロッドの２つの管状部材を接続する方法とは、このロッドのロック手段が完全に内部にあることで非常に安定しており、支持物の固定のための自由面を有することから、特別に効果的であることが分かっている。
【００２３】
入れ子式支持ロッドと、このロッドの２つの管状部材を接続する方法とは、本発明の範囲内に収まる様々の変形例と応用例とに適応し得る。更に、細部に至るまで全てが技術的に同じ部材と交換可能である。
実際は、ディメンションだけでなく、使用される材料もが、技術の状態と必要性に応じて自由に選択され得る。
【図面の簡単な説明】
【００２４】
【図１】内側管がロックされていない状態の、本発明に係るロッドの長手方向の断面である。
【図２】内側管がロックされている状態の、図１のロッドの長手方向の断面である。
【図３】図１のIII−III線で切取られた断面である。
【図１】
2004521695.tif 000003
【図２】
2004521695.tif 000004
【図３】
2004521695.tif 000005
【国際公開パンフレット】
2004521695.tif 000006
2004521695.tif 000007
2004521695.tif 000008
2004521695.tif 000009
2004521695.tif 000010
2004521695.tif 000011
2004521695.tif 000012
2004521695.tif 000013
2004521695.tif 000014
2004521695.tif 000015
【手続補正書】
【提出日】平成15年9月24日(2003.9.24)
【手続補正１】
【補正対象書類名】特許請求の範囲
【補正対象項目名】全文
【補正方法】変更
【補正の内容】
【特許請求の範囲】
【請求項１】
摺動可能に相互連結された内側管状部材（２）と外側管状部材（３）と、前記内側管状部材（２）内に収容された少なくとも１つの弾性的に変形可能な部材（５）を有するロック手段（４）と、外側管状部材に対して内側管状部材を所定の位置にロックするためにこの変形可能な部材（５）を少なくとも横方向に膨張させ得るロッド（１）内の制御機構（６）とを具備する入れ子式支持ロッド（１）において、前記制御機構は、外側管状部材上を回動可能にされて、前記変形可能な部材が膨張されているときにこれを長手方向に移動させるように変形可能な部材に関連付けられた少なくとも１つのレバー（７）を有することを特徴とするロッド。
【請求項２】
１組のプレート（１６、１７）が、前記変形可能な部材（５）を横方向に膨張させるためにこれの両端に設けられ、これらプレートは、これらプレートの間の距離がレバーを動かすことで変えられるようにレバーに関連付けられていることを特徴とする請求項１のロッド（１）。
【請求項３】
スペーサ（１５）が、前記レバーと、前記１組のプレートのうちレバーに近い方のプレート（１６）との間に配置されていることを特徴とする請求項２のロッド（１）。
【請求項４】
前記１組のプレートと、スペーサと、変形可能な部材とが、変形可能な部材が膨張されていないときにスペーサと関連付けられるレバーの一端から第１の距離だけ離間され、及び、変形可能な部材が膨張されるとスペーサと関連付けられるレバーの他端から前記第１の距離より長い第２の距離だけ離間された領域（１８）内で、レバーに回動可能に接続されたピン（８）に摺動可能に関連付けられていることを特徴とする請求項３のロッド（１）。
【請求項５】
前記レバー（７）は、外側管状部材（３）に固定された支持物（９）に回動及び摺動可能に関連付けられていることを特徴とする請求項１乃至４のいずれか１のロッド（１）。
【請求項６】
前記支持物（９）は、レバー（７）のガイド部（１１）が関連付けられた少なくとも１つのカム（１０）を有することを特徴とする請求項５のロッド（１）。
【請求項７】
前記ガイド部（１１）は、ホイール（１２）を支持していることを特徴とする請求項６のロッド（１）。
【請求項８】
前記カム（１０）は、ホイール（１２）を収容する溝形状の座部（１３）を有することを特徴とする請求項７のロッド（１）。
【請求項９】
中心付けスペーサ（１９、２０）が、内側管状部材（２）と外側管状部材（３）との間に配置されていることを特徴とする請求項１乃至８のいずれか１のロッド（１）。
【請求項１０】
前記レバー（７）は、止め手段を有することを特徴とする請求項１乃至９のいずれか１のロッド（１）。
【請求項１１】
前記止め手段は、操作ハンドル（２２）を収容するレバー（７）の第１の座部（２１）を有することを特徴とする請求項１０のロッド（１）。
【請求項１２】
弾性部材（２３）が、内側管状部材もしくは外側管状部材の少なくとも１つの自由端で結合されていることを特徴とする請求項１乃至１１のいずれか１のロッド（１）。
【請求項１３】
入れ子式ロッド（１）の２つの管状部材（２、３）の間をロックする方法であって、変形可能な部材（５）が、横方向に膨張されると同時に長手方向に移動されて、入れ子式ロッド（１）の内側管状部材（２）内で変形可能な部材（５）を緩くロックし、内側管状部材自身を長手方向に移動可能にし、続いて、変形可能な部材（５）を更に膨張させて、内側管状部材（２）内で変形可能な部材（５）をロックすることを特徴とする方法。
【請求項１４】
前記変形可能な部材はロッド（１）の内側管状部材（２）に対して緩くロックされ、ロッド（１）の両端は制限されて、これらロッドの移動が防止され、変形可能な部材（５）は、レバーを駆動すると内側管状部材（２）内で摺動するようにされることを特徴とする請求項１３の方法。
【手続補正２】
【補正対象書類名】明細書
【補正対象項目名】０００４
【補正方法】変更
【補正の内容】
【０００４】
従って、本発明の技術的な課題は、先行技術に関連して論じられてきた技術的な問題を解決することである。
技術的な課題の範囲内で、本発明の目的は、ロック装置がロッド内部にある入れ子式のロッドを提供することである。


【手続補正３】
【補正対象書類名】明細書
【補正対象項目名】０００６
【補正方法】変更
【補正の内容】
【０００６】
技術的な課題は、これら及び他の目的同様に、添付請求項に関って作られた本発明の入れ子式支持ロッドを提供することによって果たされる。




【国際調査報告】
2004521695.tif 000016
2004521695.tif 000017